(57)【要約】【課題】携帯電話が持つデータベースに登録されている外部機器の表示装置に対して携帯電話から描画を行う。【解決手段】表示装置に描画を行うための描画情報を生成する描画装置２００、描画属性と表示装置との関連付けを格納するデータベース３００、描画情報の表示先を決定する描画対象選択装置４００、および外部機器に描画情報を送信する送信装置６００を含む携帯電話１００を用いる。また、携帯電話からの描画情報を受信する受信装置１６００、および受信した描画情報を表示する表示装置１５００を含む外部機器１１００を用いる。そして、描画装置は描画情報および描画属性を描画対象選択装置に渡し、描画対象選択装置はデータベースから描画属性と関連付けられた表示装置の一覧を取得して描画情報の表示先を決定し、送信装置は決定された描画情報の表示先である外部機器に描画情報を送信する。【選択図】　　　　図１
2004032104.tif 000002
【特許請求の範囲】
【請求項１】
表示装置に描画を行うための描画情報を生成する描画装置、描画属性と表示装置との関連付けを格納するデータベース、描画情報の表示先を決定する描画対象選択装置、および外部機器に描画情報を送信する送信装置を含む携帯電話と、
携帯電話からの描画情報を受信する受信装置、および受信した描画情報を表示する表示装置を含む外部機器とを備え
前記描画装置は描画情報および描画属性を前記描画対象選択装置に渡し、描画対象選択装置は前記データベースから描画属性と関連付けられた表示装置の一覧を取得して描画情報の表示先を決定し、前記送信装置は前記決定された描画情報の表示先である外部機器に描画情報を送信することを特徴とする携帯電話による外部機器への描画システム。
【請求項２】
携帯電話の描画属性と関連付ける外部機器の数は１個または複数個であることを特徴とする請求項１に記載の携帯電話による外部機器への描画システム。
【請求項３】
外部機器の表示装置の数は１個または複数個であることを特徴とする請求項１または２に記載の携帯電話による外部機器への描画システム。
【請求項４】
描画属性と外部機器の表示装置との関連付けを格納するデータベースを備えた携帯電話を用い、描画時に描画属性を指定し、前記データベースから前記描画属性と関連付けられた外部機器の表示装置を取得するとともに、前記外部機器に描画情報を送信することにより、外部機器の表示装置に対して携帯電話から描画を行うことを特徴とする携帯電話による外部機器への描画方法。
【請求項５】
携帯電話の描画装置は描画情報を生成し、描画属性と描画情報を携帯電話の描画対象選択装置に渡すステップと、携帯電話の描画対象選択装置は携帯電話のデータベースから描画属性と関連付けられた描画装置の一覧を取得し、描画対象として外部機器の表示装置を取得するとともに、描画情報を携帯電話の送信装置に渡すステップと、携帯電話の送信装置は描画情報を外部機器の受信装置に送信するステップと、外部機器の受信装置は描画情報を外部機器の表示装置に渡すステップと、外部機器の表示装置は描画情報に従って表示するステップとを備えたことを特徴とする携帯電話による外部機器への描画方法。
【発明の詳細な説明】
【０００１】
【発明の属する技術分野】
本発明は、携帯電話が持つデータベースに登録されている外部機器の表示装置に対して携帯電話から描画を行うシステムおよび方法に関する。
【０００２】
【従来の技術】
従来の携帯電話は、その携帯電話の表示装置に対してのみ描画を行うことができた。したがって、外部機器に対しては描画を行うことができず、また、上記描画に際しては携帯電話の表示装置の物理的制限（解像度、色数等）を受けるものであった。
【０００３】
【発明が解決しようとする課題】
本発明は、前述した事情に鑑みてなされたもので、外部機器に対して描画を行うことができ、そのため携帯電話の表示装置の物理的制限を受けることなく描画を行うことが可能な描画システムおよび描画方法を提供することを目的とする。
【０００４】
【課題を解決するための手段】
本発明は、前記目的を達成するため、表示装置に描画を行うための描画情報を生成する描画装置、描画属性と表示装置との関連付けを格納するデータベース、描画情報の表示先を決定する描画対象選択装置、および外部機器に描画情報を送信する送信装置を含む携帯電話と、
携帯電話からの描画情報を受信する受信装置、および受信した描画情報を表示する表示装置を含む外部機器とを備え
前記描画装置は描画情報および描画属性を前記描画対象選択装置に渡し、描画対象選択装置は前記データベースから描画属性と関連付けられた表示装置の一覧を取得して描画情報の表示先を決定し、前記送信装置は前記決定された描画情報の表示先である外部機器に描画情報を送信することを特徴とする携帯電話による外部機器への描画システムを提供する。
【０００５】
また、本発明は、描画属性と外部機器の表示装置との関連付けを格納するデータベースを備えた携帯電話を用い、描画時に描画属性を指定し、前記データベースから前記描画属性と関連付けられた外部機器の表示装置を取得するとともに、前記外部機器に描画情報を送信することにより、外部機器の表示装置に対して携帯電話から描画を行うことを特徴とする携帯電話による外部機器への描画方法を提供する。
【０００６】
さらに、本発明は、携帯電話の描画装置は描画情報を生成し、描画属性と描画情報を携帯電話の描画対象選択装置に渡すステップと、携帯電話の描画対象選択装置は携帯電話のデータベースから描画属性と関連付けられた描画装置の一覧を取得し、描画対象として外部機器の表示装置を取得するとともに、描画情報を携帯電話の送信装置に渡すステップと、携帯電話の送信装置は描画情報を外部機器の受信装置に送信するステップと、外部機器の受信装置は描画情報を外部機器の表示装置に渡すステップと、外部機器の表示装置は描画情報に従って表示するステップとを備えたことを特徴とする携帯電話による外部機器への描画方法を提供する。
【０００７】
本発明に係る携帯電話による外部機器への描画システムおよび方法においては、携帯電話が持つデータベースは描画属性と外部機器の表示装置との関連付けを持つ。描画時に描画属性を指定し、データベースから描画属性と関連付けられた外部機器の表示装置を取得することで、データベースに登録されている外部機器の表示装置に対して描画が可能になる。従って、携帯電話が持つデータベースにより描画対象となる外部機器の表示装置を選択できる。また、携帯電話の表示装置の物理的制限を受けずに描画が可能になる。
【０００８】
【発明の実施の形態】
次に、添付図面を参照して本発明の実施の形態を説明する。図１は本発明に係る携帯電話による外部機器への描画システムの一実施形態を示す構成図である。本例の描画システムは、図１に示すように、携帯電話１００と、携帯電話の描画対象となる表示装置を持つ外部機器１１００とから構成されている。
【０００９】
携帯電話１００は、表示装置に描画を行うための描画情報と描画属性を生成する描画装置２００、描画属性と表示装置との関連付けを格納するデータベース３００、データベース３００から表示装置の一覧を取得して描画情報の表示先を決定する描画対象選択装置４００、携帯電話が持つ表示装置５００、および外部機器に描画情報を送信する送信装置６００を含む。
【００１０】
また、携帯電話１００には、描画属性として描画属性１０、描画属性２０が存在し、データベース３００において、描画属性１０は表示装置５００と表示装置１５００、描画属性２０は表示装置５００と関連付けられている。
【００１１】
ここで描画属性とは、携帯電話の状態アイコン（電波状況、バッテリー残量等のアイコン）や描画領域等の描画の意味を表し、描画情報とは、描画座標、描画種別（直線、弧、矩形、円、イメージ等）と各描画種別に必要な情報（描画色、線幅、塗りつぶしの有り無し等の描画に必要な情報）のことである。
【００１２】
外部機器１１００は、携帯電話からの描画情報を受信する受信装置１６００、および受信した描画情報を表示するための表示装置１５００を含む。
【００１３】
本例の描画システムは次のように動作する。最初に描画属性１０の描画を行う場合を考える。描画装置２００は描画情報を生成し、描画属性１０と描画情報を描画対象選択装置４００に渡す。描画対象選択装置４００は、データベース３００から描画属性１０と関連付けられた表示装置の一覧を取得する。取得した表示装置の一覧に表示装置５００が含まれているので、描画情報を表示装置５００に渡す。また、表示装置１５００も含まれているので、描画情報を送信装置６００にも渡す。表示装置５００は取得した描画情報に従って表示する。送信装置６００は、取得した描画情報を表示装置１５００を持つ外部機器１１００の受信装置１６００に送信する。受信装置１６００は受信した描画情報を表示装置１５００に渡す。表示装置１５００は取得した描画情報に従って表示する。
【００１４】
次に、描画属性２０の描画を行う場合を考える。描画装置２００は描画情報を生成し、描画属性２０と描画情報を描画対象選択装置４００に渡す。描画対象選択装置４００は、データベース３００から描画属性２０と関連付けられた表示装置の一覧を取得する。取得した表示装置の一覧に表示装置５００が含まれているので、描画情報を表示装置５００に渡す。表示装置５００は取得した描画情報に従って表示する。
【００１５】
データベース３００に登録されている描画属性１０と関連付けられた表示装置は、携帯電話１００の表示装置５００と外部機器１１００の表示装置１５００の２つなので、両方の表示装置に対して描画属性１０の描画がなされる。一方、描画属性２０と関連付けられた表示装置は、携帯電話１００の表示装置５００だけなので、外部機器１１００の表示装置１５００には描画属性２０の描画はされない。
【００１６】
図１、図２を利用して本実施例の動作について説明する。描画属性１０の描画を行う場合を考える。描画装置２００は描画情報を生成し、描画属性１０と描画情報を描画対象選択装置４００に渡す（図２のステップＡ２）。描画対象選択装置４００は、データベース３００から描画属性１０と関連付けられた描画装置の一覧（表示装置５００と表示装置１５００が含まれている）を取得する（図２のステップＡ３）。取得した描画装置の一覧が空でないので、描画対象として表示装置５００を取得する（図２のステップＡ４、Ａ５）。描画対象が表示装置５００なので描画情報を表示装置５００に渡し、表示装置５００は描画情報に従って表示する（図２のステップＡ６、Ａ７）。描画装置の一覧から表示装置５００を削除する（図２のステップＡ１０）。
【００１７】
また、描画装置の一覧が空でないので、描画対象として表示装置１５００を取得する（図２のステップＡ４、Ａ５）。描画対象が表示装置１５００なので描画情報を送信装置６００に渡し、送信装置６００は描画情報を受信装置１６００に送信する（図２のステップＡ６、Ａ８）。受信装置１６００は描画情報を表示装置１５００に渡し、表示装置１５００は描画情報に従って表示する（図２のステップ９）。描画装置の一覧から表示装置１５００を削除する（図２のステップＡ１０）。描画装置の一覧が空なので描画を終了する（図２のステップＡ４、Ａ１１）。
【００１８】
次に、具体例を用いて説明する。図３に示すように、外部機器が腕時計２１００で、腕時計が持つ表示装置２５００に携帯電話１００の状態（電波強度、バッテリー残量、メールの有無等）を表示する事例を考える。描画属性として電波強度、バッテリー残量、メールの有無のアイコンを選択し、携帯電話の状態を描画する。これらの描画属性は、携帯電話が持つデータベースにおいて、携帯電話の表示装置５００と腕時計の表示装置に関連付けられているとする。描画対象は携帯電話と腕時計の表示装置なので、携帯電話の表示装置に携帯電話の状態が表示される。さらに腕時計に描画情報が送信され、描画情報を受信した腕時計は表示装置に携帯電話の状態を表示する。
【００１９】
図４に示すように外部機器がＰＣ（ＰｅｒｓｏｎａｌＣｏｍｐｕｔｅｒ）３１００で、ＰＣが持つ表示装置３５００にメールの添付画像を表示する事例を考える。描画属性として巨大画像を選択し、メールの添付画像を描画する。この描画属性は、携帯電話１００が持つデータベースにおいて、ＰＣの表示装置に関連付けられているとする。描画対象はＰＣの表示装置なので、描画情報はＰＣに送信され、描画情報を受信したＰＣは表示装置に画像３８００を表示する。
【００２０】
本発明において、携帯電話の描画属性と関連付ける外部機器の数に限定はなく、上述した実施例では上記外部機器の数を１個としたが、例えばＮ個（Ｎは複数）に拡張することができる。
【００２１】
また、本発明において、外部機器の表示装置の数に限定はなく、上述した実施例では上記外部機器の表示装置の数を１個としたが、例えばＭ個（Ｍは複数）に拡張することができる。このとき、外部機器１１００には図５に示すように描画対象選択装置１７００が必要になる。また、携帯電話１００の描画対象選択装置４００は、外部機器の表示装置１５００を特定するために、外部機器の表示装置の情報も描画情報とともに送信装置６００に渡す必要がある。送信装置６００は、表示装置の情報と描画情報を受信装置１６００に送信する。描画対象選択装置１７００は表示装置の情報と描画情報を受信装置１６００から取得し、表示装置の情報を用いて描画情報を表示する表示装置を選択し、描画情報を表示装置に渡す。
【００２２】
【発明の効果】
本発明の第１の効果は、描画時に描画属性を指定することにより、携帯電話が持つデータベースで描画属性に関連付けられた表示装置に描画可能なことである。その結果、携帯電話の表示装置に限定されず、外部機器の表示装置に対しても描画可能となる。その理由は、描画属性と関連付け可能な表示装置は携帯電話の表示装置に限定されず、外部機器の表示装置とも関連付け可能だからである。
【００２３】
本発明の第２の効果は、携帯電話が持つデータベースを用いることで、描画属性により描画対象となる表示装置を選択できることである。その理由は、データベースに描画属性と表示装置との関連付けが格納されているからである。
【００２４】
本発明の第３の効果は、携帯電話の表示装置の物理的能力による制限（解像度、色数等）を受けずに描画可能なことである。その理由は、外部機器の表示装置に対して描画可能だからである。その結果、携帯電話の表示装置の解像度を上まわる画像も表示可能になる。
【図面の簡単な説明】
【図１】本発明に係る描画システムの一実施形態を示す構成図である。
【図２】図１のシステムの動作を示すフロー図である。
【図３】本発明に係る描画システムの一具体例を示す構成図である。
【図４】本発明に係る描画システムの他の具体例を示す構成図である。
【図５】外部機器の表示装置の数を複数個とした例を示す構成図である。
【符号の説明】
１０　描画属性
２０　描画属性
１００　携帯電話
２００　描画装置
３００　データベース
４００　描画対象選択装置
５００　表示装置
６００　送信装置
１１００　外部機器
１５００　表示装置
１６００　受信装置
２１００　腕時計
２５００　表示装置
３１００　ＰＣ
３５００　表示装置
３８００　画像
【図１】
2004032104.tif 000003
【図２】
2004032104.tif 000004
【図３】
2004032104.tif 000005
【図４】
2004032104.tif 000006
【図５】
2004032104.tif 000007